(57)【要約】【課題】タブの自由端部が電極組立体やケースに影響を及ぼすことを防止することができる蓄電装置を提供すること。【解決手段】二次電池１０は、正極集電タブ４１及び負極集電タブ４２の先端側から各タブ群４３，４４に取着される絶縁材料製の取着部材５３を備える。取着部材５３は、各タブ群４３，４４の各溶接部Ｙ１，Ｙ２よりも先端側で、各タブ群４３，４４の積層方向一端側から各導電部材６１，６２を覆う第１被覆部５４と、各タブ群４３，４４の積層方向他端側から各タブ群４３，４４を覆う第２被覆部５５と、を有する。取着部材５３は、第１被覆部５４と第２被覆部５５を連結し、かつ各集電タブ４１，４２の先端側を覆う第３被覆部５６を有する。取着部材５３は、第１被覆部５４と第２被覆部５５と第３被覆部５６に囲まれて、各溶接部Ｙ１，Ｙ２よりも先端側で、各集電タブ４１，４２と、各導電部材６１，６２を収容する収容部５７を有する。【選択図】図３
2015032549.tif 000002
【特許請求の範囲】
【請求項１】
異なる極の電極を絶縁した状態で積層した電極組立体をケース内に備えるとともに、
前記電極から電気を取り出すために前記電極の一辺から突出するタブを備え、
前記電極組立体において前記電極の一辺が集まった一端面に、前記電極組立体の積層方向に沿って前記タブを寄せ集めたタブ群を備えるとともに、
前記タブ群の全てのタブが導通部で導通されるとともに、前記タブ群の積層方向一端のタブに接合された導電部材を備える蓄電装置であって、
前記タブの先端側から前記タブ群に取着される絶縁材料製の取着部材を備え、
前記取着部材は、少なくとも前記導通部よりも前記タブの先端側で、前記タブ群の積層方向一端側から前記導電部材を覆う第１被覆部と、
前記タブ群の積層方向他端側から前記タブ群を覆う第２被覆部と、
前記第１被覆部と前記第２被覆部を連結し、かつ前記タブの先端側を覆う第３被覆部と、を有するとともに、
前記第１被覆部と前記第２被覆部と前記第３被覆部に囲まれて、少なくとも前記導通部よりも先端側で、全てのタブと、前記タブ群の積層方向に重なった前記導電部材とを収容する収容部を有することを特徴とする蓄電装置。
【請求項２】
前記第１被覆部と前記第２被覆部は、前記導通部よりも先端側で全てのタブと、前記タブ群の積層方向に重なった前記導電部材を挟持している請求項１に記載の蓄電装置。
【請求項３】
前記タブ群は、前記タブを、前記タブ群の積層方向一端側に寄せ集め、かつ集められた状態で前記一端側とは反対側の他端側に向けて折り返されている請求項１又は請求項２に記載の蓄電装置。
【請求項４】
前記電極組立体と前記ケースとを絶縁する絶縁シートを備え、前記絶縁シートは、前記電極組立体の一端面からの前記タブの突出方向に沿って前記一端面よりも突出したはみ出し部を備える請求項１〜請求項３のうちいずれか一項に記載の蓄電装置。
【請求項５】
前記蓄電装置は二次電池である請求項１〜請求項４のうちいずれか一項に記載の蓄電装置。
【発明の詳細な説明】
【技術分野】
【０００１】
本発明は、蓄電装置に関する。
【背景技術】
【０００２】
ＥＶ（Ｅｌｅｃｔｒｉｃ  Ｖｅｈｉｃｌｅ）やＰＨＶ（Ｐｌｕｇ  ｉｎ  Ｈｙｂｒｉｄ
Ｖｅｈｉｃｌｅ）などの車両には、走行用モータへの供給電力を蓄える蓄電装置としての二次電池が搭載されている。一般に、二次電池は、電極組立体を収容するケースを備え、そのケース内に電極組立体が収容されている。そして、二次電池からの電力の取り出しは、電極組立体の正極及び負極に、導電部材を介して接続された電極端子を通して行われている。
【０００３】
電極組立体には、例えば、複数の正極と複数の負極との間にセパレータを介在させた状態で積層した積層型の電極組立体や、帯状の正極と帯状の負極との間に帯状のセパレータを介在させた状態で捲回した捲回型の電極組立体がある。
【０００４】
図８（ａ）に示すように、例えば、特許文献１の二次電池８０において、ケース８８内に収容された電極組立体８９は、正極板８１及び負極板８２を有し、正極板８１は正極タブ８１ａを有し、負極板８２は負極タブ８２ａを有する。複数枚の正極タブ８１ａは重ねた状態で正極端子８３と電気的に接続され、複数枚の負極タブ８２ａは重ねた状態で負極端子８４と電気的に接続されている。
【０００５】
図８（ｂ）に示すように、正極タブ８１ａと正極端子８３とは、例えば、正極端子８３に対して複数枚積層された状態で溶接によって接合され、溶接部９０で全ての正極タブ８１ａと正極端子８３とが導通している。同様に、負極タブ８２ａと負極端子８４とは、負極端子８４に対して複数枚積層された状態で溶接によって接合され、溶接部９０で全ての負極タブ８２ａと負極端子８４とが導通している。
【先行技術文献】
【特許文献】
【０００６】
【特許文献１】特開２０１２−１４９３５号公報
【発明の概要】
【発明が解決しようとする課題】
【０００７】
ところで、複数枚の正極タブ８１ａ及び負極タブ８２ａは、溶接部９０よりも先端側は、自由端部となっている場合があり、自由端部となった正極タブ８１ａ又は負極タブ８２ａが、ケース８８に接触したり、電極組立体８９に接触する虞がある。
【０００８】
本発明は、上述した事情を鑑みてなされたものであり、タブの自由端部が電極組立体やケースに影響を及ぼすことを防止することができる蓄電装置を提供することを目的とする。
【課題を解決するための手段】
【０００９】
上記問題点を解決するために、請求項１に記載の蓄電装置は、異なる極の電極を絶縁した状態で積層した電極組立体をケース内に備えるとともに、前記電極から電気を取り出すために前記電極の一辺から突出するタブを備え、前記電極組立体において前記電極の一辺が集まった一端面に、前記電極組立体の積層方向に沿って前記タブを寄せ集めたタブ群を備えるとともに、前記タブ群の全てのタブが導通部で導通されるとともに、前記タブ群の積層方向一端のタブに接合された導電部材を備える蓄電装置であって、前記タブの先端側から前記タブ群に取着される絶縁材料製の取着部材を備え、前記取着部材は、少なくとも前記導通部よりも前記タブの先端側で、前記タブ群の積層方向一端側から前記導電部材を覆う第１被覆部と、前記タブ群の積層方向他端側から前記タブ群を覆う第２被覆部と、前記第１被覆部と前記第２被覆部を連結し、かつ前記タブの先端側を覆う第３被覆部と、を有するとともに、前記第１被覆部と前記第２被覆部と前記第３被覆部に囲まれて、少なくとも前記導通部よりも先端側で、全てのタブと、前記タブ群の積層方向に重なった前記導電部材とを収容する収容部を有することを要旨とする。
【００１０】
これによれば、導通部よりも先端側では、全てのタブと導電部材が、タブ群の積層方向の両端側から覆われるとともに、それら全てのタブ、及び導電部材の導通部よりも先端側が収容部に収容されている。このため、蓄電装置が振動しても、導通部より先端側に位置するタブの自由端部が、その積層方向において取着部材から飛び出すことが防止でき、タブの自由端部が電極組立体やケースに接触したりして影響を及ぼすことが防止できる。
【００１１】
また、蓄電装置について、前記第１被覆部と前記第２被覆部は、前記導通部よりも先端側で全てのタブと、前記タブ群の積層方向に重なった前記導電部材を挟持しているのが好ましい。
【００１２】
これによれば、第１被覆部と第２被覆部により、導通部より先端側のタブの自由端部がばたつくことを防止できる。その結果、タブの自由端部同士が摺接することが抑制でき、その摺接を原因とした異物の発生を抑制できる。
【００１３】
また、蓄電装置について、前記タブ群は、前記タブを、前記タブ群の積層方向一端側に寄せ集め、かつ集められた状態で前記一端側とは反対側の他端側に向けて折り返されていてもよい。
【００１４】
これによれば、折り返されたタブ群は、電極組立体の一端面に対向した状態であるが、このタブ群は、積層方向他端側から第２被覆部によって覆われている。このため、収容部内でタブ同士が摺接して、異物が発生し、落下しても、その異物を第２被覆部で受け止めることができる。
【００１５】
また、蓄電装置について、前記電極組立体と前記ケースとを絶縁する絶縁シートを備え、前記絶縁シートは、前記電極組立体の一端面からの前記タブの突出方向に沿って前記一端面よりも突出したはみ出し部を備えるのが好ましい。
【００１６】
これによれば、電極組立体の一端面から突出したタブ群が、はみ出し部により囲まれている。よって、タブ群において、取着部材によって被覆されない部位とケースとを、はみ出し部により絶縁できる。そして、タブ群の積層方向一端側、タブ群の積層方向他端側、及びタブの先端は取着部材によってケースから絶縁できる。したがって、取着部材と、はみ出し部とで、タブ群を確実にケースから絶縁できる。
【００１７】
前記蓄電装置は二次電池である。
【発明の効果】
【００１８】
タブの自由端部が電極組立体やケースに影響を及ぼすことを防止することができる。
【図面の簡単な説明】
【００１９】
【図１】二次電池の斜視図。
【図２】電極組立体の分解斜視図。
【図３】二次電池の分解斜視図。
【図４】図１の４−４線断面図。
【図５】二次電池内を示す部分正断面図。
【図６】別例を示す部分正断面図。
【図７】取着部材の別例を示す部分断面図。
【図８】（ａ）及び（ｂ）は背景技術を示す図。
【発明を実施するための形態】
【００２０】
以下、蓄電装置を二次電池に具体化した一実施形態を図１〜図５にしたがって説明する。
図１に示すように、蓄電装置としての二次電池１０は、その外形を構成するケース１１を備えている。ケース１１は、四角箱状の容器１２と、その容器１２に設けられた開口部分を塞ぐ矩形平板状の蓋１３とから構成されている。このため、二次電池１０は、その外形が角型の角型電池である。なお、容器１２及び蓋１３は金属製であり、二次電池１０は、リチウムイオン電池である。
【００２１】
図３に示すように、容器１２は、矩形平板状の底部１２ａと、この底部１２ａの一対の短側縁から立設された第１側壁１２ｂと、底部１２ａの側縁のうち、別の一対の長側縁から立設され、かつ両第１側壁１２ｂに直交する第２側壁１２ｃを備える。容器１２は、その内側に、底部１２ａと、一対の第１側壁１２ｂと、一対の第２側壁１２ｃとによって囲まれた収容空間Ｓを有するとともに、容器１２には収容空間Ｓと連通する挿入口１２ｄが開口している。
【００２２】
二次電池１０は、ケース１１に収容されている電極組立体１４と、電極組立体１４と電力のやり取りを行うのに用いられる正極端子５１及び負極端子５２とを備えている。各端子５１，５２はケース１１、詳細には蓋１３に取り付けられており、蓋１３の長手方向の両端側に離間して配置されている。
【００２３】
図２に示すように、電極組立体１４は、電極としての複数の正極電極２１と、電極としての複数の負極電極２２とが、セパレータ２３を介して交互に積層されて構成されている。正極電極２１は、矩形状の正極用金属箔（本実施形態ではアルミニウム箔）２１ａと、その正極用金属箔２１ａの両面（表面）に設けられた矩形状の正極用活物質層２１ｂと、を有する。正極電極２１は、その正極用金属箔２１ａの一辺２１ｃに沿って、正極用の活物質の設けられていない正極側未塗工部２１ｄを有する。そして、正極電極２１において、正極側未塗工部２１ｄの一辺２１ｃの一部には、タブとしての正極集電タブ４１が突出する状態に設けられている。
【００２４】
負極電極２２は、矩形状の負極用金属箔（本実施形態では銅箔）２２ａと、その負極用金属箔２２ａの両面（表面）に設けられた矩形状の負極用活物質層２２ｂと、を有する。負極電極２２は、その負極用金属箔２２ａの一辺２２ｃに沿って、負極用の活物質の設けられていない負極側未塗工部２２ｄを有する。そして、負極電極２２において、負極側未塗工部２２ｄの一辺２２ｃの一部には、タブとしての負極集電タブ４２が突出する状態に設けられている。
【００２５】
図３に示すように、正極電極２１と負極電極２２は、正極集電タブ４１が、電極組立体１４の積層方向に沿って列状に配置され、且つ正極集電タブ４１と重ならない位置にて負極集電タブ４２が、電極組立体１４の積層方向に沿って列状に配置されるように積層されている。以下の説明において、全ての正極集電タブ４１及び負極集電タブ４２が積層された方向を、正極タブ群４３及び負極タブ群４４の積層方向とする。電極組立体１４は、全ての正極電極２１の一辺２１ｃと、全ての負極電極２２の一辺２２ｃと、セパレータ２３の一辺２３ａを積層した一端面３６を備え、この電極組立体１４の一端面３６に、正極タブ群４３及び負極タブ群４４を備える。なお、電極組立体１４において、一端面３６と反対側の端面であり、容器１２の底部１２ａ側を底側端面３３とし、電極組立体１４の積層方向の両端に位置する面を偏平面３１，３２とする。さらに、電極組立体１４の積層方向の両偏平面３１，３２及び底側端面３３と直交する一対の面を端面３４，３５とする。
【００２６】
正極タブ群４３は、全ての正極電極２１の正極集電タブ４１を、正極タブ群４３の積層方向の一端から他端までの範囲内で一端側に寄せて集め、かつ集められた状態で一端側とは反対側の他端側に向けて折り返して形成されている。そして、正極タブ群４３の積層方向一端の正極集電タブ４１には、電極組立体１４と電気を授受する導電部材としての正極導電部材６１が接続されるとともに、正極導電部材６１には正極端子５１が接続されている。
【００２７】
図４に示すように、正極タブ群４３に正極導電部材６１を抵抗溶接しつつ、全ての正極集電タブ４１同士を抵抗溶接する際、正極タブ群４３は、その積層方向一端に配置された正極導電部材６１と、積層方向他端に配置された正極溶接用板材６４とで、積層方向両端側から挟まれる。そして、正極導電部材６１と正極溶接用板材６４とを、図示しない抵抗溶接器で挟んで、正極導電部材６１と、全ての正極集電タブ４１と、正極溶接用板材６４とを溶接することで、正極タブ群４３に正極導電部材６１が接続されている。
【００２８】
図４及び図５に示すように、正極タブ群４３には、正極タブ群４３の積層方向全体に亘って導通部としての正極溶接部Ｙ１が形成されるとともに、正極溶接部Ｙ１によって全ての正極集電タブ４１、正極導電部材６１、及び正極溶接用板材６４が電気的に接続されている。また、正極タブ群４３及び正極溶接用板材６４は、電極組立体１４の一端面３６に対し、正極集電タブ４１の突出方向へ離間した状態で対向している。
【００２９】
なお、全ての正極集電タブ４１において、正極溶接部Ｙ１よりも先端側は、正極導電部材６１に接合されておらず、自由端部Ｇとなっている。なお、全ての正極集電タブ４１の自由端部Ｇは、正極溶接部Ｙ１よりも先端側で、かつ正極溶接用板材６４を越えた部位は、正極溶接用板材６４の端縁を支点として正極タブ群４３の積層方向一端側に向けて折り返されている。したがって、正極タブ群４３では、自由端部Ｇは、正極溶接用板材６４を挟んで二条に折り畳まれた状態である。
【００３０】
図３に示すように、正極導電部材６１は、クランク形状であり、湾曲部分に対して長手方向の一方側の部位であるタブ側溶接片６１ａが、正極タブ群４３に接合されている。また、正極導電部材６１において、湾曲部分に対して長手方向に他方側の部位である端子側接合片６１ｂがタブ側溶接片６１ａよりも電極組立体１４の一端面３６側に位置した状態で取り付けられている。
【００３１】
負極タブ群４４は、全ての負極電極２２の負極集電タブ４２を、負極タブ群４４の積層方向の一端から他端までの範囲内で一端側に寄せて集め、かつ集められた状態で一端側とは反対側の他端側に向けて折り返して形成されている。そして、負極タブ群４４には、電極組立体１４と電気を授受する導電部材としての負極導電部材６２が抵抗溶接により接続されるとともに、負極導電部材６２には負極端子５２が接続されている。
【００３２】
図５に示すように、負極タブ群４４に負極導電部材６２を抵抗溶接しつつ、全ての負極集電タブ４２を抵抗溶接する際、負極タブ群４４は、その積層方向一端に配置された負極導電部材６２と、積層方向他端に配置された負極溶接用板材６５とで、積層方向両端側から挟まれる。そして、負極導電部材６２と負極溶接用板材６５とを、図示しない抵抗溶接器で挟んで、負極導電部材６２と、全ての負極集電タブ４２と、負極溶接用板材６５とを溶接することで、負極タブ群４４に負極導電部材６２が接続されている。
【００３３】
負極タブ群４４には、負極タブ群４４の積層方向全体に亘って導通部としての負極溶接部Ｙ２が形成されるとともに、負極溶接部Ｙ２によって全ての負極集電タブ４２、負極導電部材６２、及び負極溶接用板材６５が電気的に接続されている。また、負極タブ群４４及び負極溶接用板材６５は、電極組立体１４の一端面３６に対し、負極集電タブ４２の突出方向へ離間した状態で対向している。
【００３４】
なお、全ての負極集電タブ４２において、負極溶接部Ｙ２よりも先端側は、負極導電部材６２に接合されておらず、自由端部Ｇとなっている。全ての負極集電タブ４２の自由端部Ｇは、負極溶接部Ｙ２よりも先端側で、かつ負極溶接用板材６５を越えた部位は、負極溶接用板材６５の端縁を支点として負極タブ群４４の積層方向一端側に向けて折り返されている。したがって、負極タブ群４４では、自由端部Ｇは、負極溶接用板材６５を挟んで二条に折り畳まれた状態である。
【００３５】
図３に示すように、負極導電部材６２は、クランク形状であり、湾曲部分に対して長手方向の一方側の部位であるタブ側溶接片６２ａが、負極タブ群４４に接合されている。また、負極導電部材６２において、湾曲部分に対して長手方向に他方側の部位である端子側接合片６２ｂがタブ側溶接片６２ａよりも電極組立体１４の一端面３６側に位置した状態で取り付けられている。
【００３６】
図１に示すように、正極端子５１及び負極端子５２は、絶縁リング６３によって絶縁された状態でケース１１の蓋１３を貫通している。また、電極組立体１４は、四角箱状に組立てられた絶縁シート７０によって、底側端面３３、両偏平面３１，３２、及び両端面３４，３５が覆われている。そして、容器１２の底部１２ａと電極組立体１４の底側端面３３との間、容器１２の各第１側壁１２ｂと電極組立体１４の端面３４，３５との間、及び容器１２の各第２側壁１２ｃと電極組立体１４の各偏平面３１，３２との間は、それぞれ絶縁シート７０によって絶縁されている。
【００３７】
図４及び図５に示すように、絶縁シート７０は、電極組立体１４の一端面３６から正極集電タブ４１及び負極集電タブ４２の突出方向にはみ出したはみ出し部７１を有する。はみ出し部７１は、全体として枠状である。そして、はみ出し部７１によって囲まれた空間内に正極タブ群４３及び負極タブ群４４と、正極導電部材６１及び負極導電部材６２が配置されている。すなわち、各タブ群４３，４４、及び各導電部材６１，６２と、ケース１１の内面との間に、はみ出し部７１が介在している。よって、各タブ群４３，４４及び各導電部材６１，６２と、容器１２とは、はみ出し部７１によって囲まれるとともに、容器１２から絶縁されている。
【００３８】
図１に示すように、二次電池１０は、正極タブ群４３及び負極タブ群４４に取着された取着部材５３を備える。取着部材５３は絶縁性を有する樹脂製であり、弾性変形可能である。また、取着部材５３は、電極組立体１４における各一辺２１ｃ，２２ｃ，２３ａに沿って長手方向が延びる矩形状であり、かつ長手方向に直交した断面がコ字型である。
【００３９】
図３、及び図４に示すように、取着部材５３は、正極導電部材６１及び負極導電部材６２のタブ側溶接片６１ａ，６２ａを、各タブ群４３，４４の積層方向一端側（上側）から覆う第１被覆部５４を有するとともに、各タブ群４３，４４の積層方向他端側（下側）から覆う第２被覆部５５を有する。さらに、取着部材５３は、第１被覆部５４と第２被覆部５５を連結し、かつ各集電タブ４１，４２の先端及び各タブ側溶接片６１ａ，６２ａを側方から覆う第３被覆部５６を有する。そして、取着部材５３は、第１被覆部５４と、第２被覆部５５と、第３被覆部５６とで囲まれた収容部５７を有する。
【００４０】
第１被覆部５４と第２被覆部５５の対向面同士の距離Ｋは、二条に折り畳まれた各タブ群４３，４４の積層方向への長さと、各溶接用板材６４，６５の厚みと、各導電部材６１，６２の各タブ側溶接片６１ａ，６２ａの厚みとを足した値と同じ、又は若干短くなっている。そして、第１被覆部５４と第２被覆部５５は、正極溶接用板材６４を挟んで二条に折り畳まれた正極集電タブ４１の全ての自由端部Ｇ、及び正極導電部材６１のタブ側溶接片６１ａを積層方向両側から挟持している。そして、正極溶接部Ｙ１より先端側の自由端部Ｇの全て、及びタブ側溶接片６１ａの一部は収容部５７に収容されている。
【００４１】
同様に、第１被覆部５４と第２被覆部５５は、負極溶接用板材６５を挟んで二条に折り畳まれた負極集電タブ４２の全ての自由端部Ｇ、及び負極導電部材６２のタブ側溶接片６２ａを積層方向両側から挟持している。そして、負極溶接部Ｙ２よりも先端側の自由端部Ｇの全て、及びタブ側溶接片６２ａの一部は収容部５７に収容されている。
【００４２】
取着部材５３は、その第１被覆部５４が、正極導電部材６１及び負極導電部材６２と、蓋１３の内面１３ａとに挟まれている。そして、取着部材５３は、第１被覆部５４により、正極導電部材６１及び負極導電部材６２と蓋１３とを絶縁している。また、取着部材５３は、正極タブ群４３及び正極導電部材６１と、負極タブ群４４及び負極導電部材６２を一体化している。
【００４３】
次に、二次電池１０の作用を記載する。
各タブ群４３，４４において、各集電タブ４１，４２の各溶接部Ｙ１，Ｙ２より先端側は、取着部材５３の収容部５７に収容されている。このため、各タブ群４３，４４の自由端部Ｇが、積層方向に沿って取着部材５３から飛び出すことが防止されている。
【００４４】
以上詳述した本実施形態によれば以下の優れた効果を奏する。
（１）正極タブ群４３及び負極タブ群４４に取着部材５３を取着し、各導電部材６１，６２に接合されていない正極集電タブ４１及び負極集電タブ４２の自由端部Ｇを、取着部材５３の収容部５７内に収容した。このため、二次電池１０が振動しても、第１被覆部５４及び第２被覆部５５により、自由端部Ｇ、特に、各溶接用板材６４，６５から折り返された部位が取着部材５３から飛び出すことが防止でき、自由端部Ｇが電極組立体１４の一端面３６やケース１１に接触することを防止できる。その結果、各集電タブ４１，４２の先端と電極組立体１４との短絡を防止できる。
【００４５】
（２）正極タブ群４３及び負極タブ群４４に取着部材５３を取着し、取着部材５３の第１被覆部５４を、各導電部材６１，６２と蓋１３の内面１３ａとの間に配置した。このため、取着部材５３によって、各導電部材６１，６２と蓋１３とを絶縁することができる。
【００４６】
（３）取着部材５３において、第１被覆部５４と第２被覆部５５の対向する内面間の距離Ｋを、二条に折り畳まれた正極タブ群４３及び負極タブ群４４の積層方向への長さと、各溶接用板材６４，６５の厚みと、各導電部材６１，６２の厚みの和と同じ又は若干短くした。そして、第１被覆部５４と第２被覆部５５とで、正極タブ群４３と正極溶接用板材６４と正極導電部材６１を挟持し、負極タブ群４４と負極溶接用板材６５と負極導電部材６２を挟持した。よって、第１被覆部５４と第２被覆部５５により、各集電タブ４１，４２の自由端部Ｇの積層方向へのばたつきを防止することができる。その結果、各集電タブ４１，４２の自由端部Ｇ同士が摺接することが抑制でき、その摺接を原因とした金属粉の発生を抑制できる。
【００４７】
（４）各タブ群４３，４４は、その積層方向一端側に寄せ集め、かつ集められた状態で他端側に向けて折り返されている。そして、各タブ群４３，４４の積層方向他端側が、電極組立体１４の一端面３６に対向している。取着部材５３の第２被覆部５５が、各タブ群４３，４４を積層方向他端側から覆っている。このため、収容部５７内で各集電タブ４１，４２同士が摺接して、金属粉等が発生し、落下しても、その金属粉等を第２被覆部５５で受け止めることができる。
【００４８】
（５）二次電池１０は、電極組立体１４とケース１１とを絶縁する絶縁シート７０を備え、この絶縁シート７０は、電極組立体１４の一端面３６よりも突出したはみ出し部７１を備える。そして、はみ出し部７１により、各タブ群４３，４４のうち、取着部材５３によって覆われていない部位が容器１２から絶縁されている。よって、取着部材５３と絶縁シート７０により、正極タブ群４３及び負極タブ群４４を確実にケース１１から絶縁できる。
【００４９】
（６）取着部材５３を、正極タブ群４３と負極タブ群４４に跨って取着した。このため、正極タブ群４３、正極溶接用板材６４及び正極導電部材６１と、負極タブ群４４、負極溶接用板材６５及び負極導電部材６２とを取着部材５３によって一纏めとすることができる。よって、電極組立体１４の正極端子５１及び負極端子５２を蓋１３を貫通させる際、正極導電部材６１及び負極導電部材６２の移動が規制され、その貫通作業、ひいては、電極組立体１４に対する蓋１３の締結作業が容易となる。
【００５０】
（７）取着部材５３の第３被覆部５６により、正極集電タブ４１及び負極集電タブ４２の先端側を被覆した。このため、第３被覆部５６により、各タブ群４３，４４の溶接部Ｙ１，Ｙ２付近を保護して、異物が巻き込まれることを抑制できる。
【００５１】
（８）取着部材５３の第１被覆部５４は、各溶接部Ｙ１，Ｙ２も覆っている。このため、二次電池１０の振動時に、各溶接部Ｙ１，Ｙ２に加わる荷重を第１被覆部５４で支承することができ、各溶接部Ｙ１，Ｙ２に加わる荷重を軽減できる。
【００５２】
なお、上記実施形態は以下のように変更してもよい。
○  実施形態では、正極タブ群４３及び正極導電部材６１と、負極タブ群４４及び負極導電部材６２に跨って取着部材５３を取着したが、取着部材５３を２つに分け、正極タブ群４３及び正極導電部材６１に取着部材５３を１つ取着し、負極タブ群４４及び負極導電部材６２に１つの取着部材５３を取着してもよい。
【００５３】
図６に示すように、正極集電タブ４１と負極集電タブ４２で厚みが異なる場合は、正極タブ群４３用の取着部材５３１と、負極タブ群４４用の取着部材５３２とで、第１被覆部５４と第２被覆部５５の対向面間の距離Ｋを変えたものを用意する。
【００５４】
○  正極タブ群４３及び負極タブ群４４は、各タブ群４３，４４の積層方向一端から他端までの範囲内で寄せて集め、かつ集められた状態で一端側とは反対側の他端側に向けて折り返して形成したが、折り返さなくてもよい。この場合、正極タブ群４３及び負極タブ群４４は、各集電タブ４１，４２の先端が蓋１３の内面１３ａに対向している。そして、取着部材５３は、正極タブ群４３及び負極タブ群４４の上（蓋１３側）から取着される。
【００５５】
○  図７に示すように、取着部材５８は、樹脂製の板材を折り曲げて形成したものであってもよい。取着部材５８は、第１被覆部５４と第３被覆部５６がＬ字型となるように一体成形されており、その第３被覆部５６と第２被覆部５５との境界部に第１折り曲げ部５８ａを備える。また、取着部材５８は、第１被覆部５４において、第３被覆部５６との境界部との対辺となる位置に、第４被覆部５９を備え、第１被覆部５４と第４被覆部５９との境界部に第２折り曲げ部５９ａを備える。第４被覆部５９は、各タブ群４３，４４の積層方向一端側を側方から被覆している。
【００５６】
このように構成した場合、取着部材５８を各タブ群４３，４４に取着する際、第１被覆部５４により、各タブ群４３，４４の積層方向一端側から各導電部材６１，６２を覆った状態で、第１折り曲げ部５８ａから第２被覆部５５を折り曲げる。すると、各タブ４１，４２の自由端部Ｇを第２被覆部５５で押しながら各溶接用板材６４，６５の端縁から折り曲げることができる。よって、第２被覆部５５を折り曲げることで、第１被覆部５４と第２被覆部５５とで、自由端部Ｇを折り畳みつつ、挟持することができ、取着部材５８の取着作業が簡単になる。また、自由端部Ｇの挟持のために、第２被覆部５５が自由端部Ｇに摺接することがなく、摺接に伴う金属粉の発生も抑制される。
【００５７】
また、第２折り曲げ部５９ａから第４被覆部５９を折り曲げることで、各タブ群４３，４４の積層方向一端側も被覆でき、容器１２から絶縁することができる。
○  絶縁シート７０において、はみ出し部７１は無くもよく、絶縁シート７０の開口端が、電極組立体１４の一端面３６と同一面上に位置していてもよい。
【００５８】
○  取着部材５３において、第１被覆部５４と第２被覆部５５の対向する内面間の距離Ｋを、各タブ群４３，４４の積層方向への長さと、各溶接用板材６４，６５の厚みと、各導電部材６１，６２の厚みとの和よりも長くし、各タブ群４３，４４と、各溶接用板材６４，６５と、各導電部材６１，６２を取着部材５３で挟持しなくてもよい。
【００５９】
○  実施形態では、各タブ群４３，４４と、各導電部材６１，６２とを抵抗溶接する際に、各溶接用板材６４，６５を用いたが、各溶接用板材６４，６５を用いずに各タブ群４３，４４と、各導電部材６１，６２とを溶接してもよい。この場合、取着部材５３の第１被覆部５４と第２被覆部５５の対向面間の距離Ｋは、各溶接用板材６４，６５の厚みを抜いた距離となる。
【００６０】
○  実施形態では、各集電タブ４１，４２の自由端部Ｇは、各溶接用板材６４，６５の端縁で折り返され、二条に折り畳まれたが、各溶接部Ｙ１，Ｙ２から先端までの自由端部Ｇの長さが短い場合は、自由端部Ｇは、各溶接用板材６４，６５の端縁で折り返さなくてもよい。
【００６１】
○  導通部として正極溶接部Ｙ１及び負極溶接部Ｙ２に具体化したが、全ての正極集電タブ４１又は負極集電タブ４２を、各タブ群４３，４４の積層方向に貫通する導通部材を導通部としてもよいし、抵抗溶接以外の方法で全て正極集電タブ４１又は負極集電タブ４２を接合して導通させて導通部としてもよい。
【００６２】
○  実施形態では、正極電極２１は、正極用金属箔２１ａの両面に正極用活物質層２１ｂを有するとしたが、正極用金属箔２１ａの片面のみに正極用活物質層２１ｂを有していてもよい。同様に、負極電極２２は、負極用金属箔２２ａの両面に負極用活物質層２２ｂを有するとしたが、負極用金属箔２２ａの片面のみに負極用活物質層２２ｂを有していてもよい。
【００６３】
○  蓄電装置は、電気二重層キャパシタ等の他の蓄電装置であってもよい。
○  実施形態では、二次電池１０はリチウムイオン二次電池であったが、これに限られず、ニッケル水素等の他の二次電池であってもよい。要は、正極活物質層と負極活物質層との間をイオンが移動するとともに電荷の授受を行うものであればよい。
【符号の説明】
【００６４】
Ｙ１…導通部としての正極溶接部、Ｙ２…導通部としての負極溶接部、１０…蓄電装置としての二次電池、１１…ケース、１４…電極組立体、２１…正極電極、２１ｃ…一辺、２２…負極電極、２２ｃ…一辺、３６…一端面、４１…正極集電タブ、４２…負極集電タブ、４３…正極タブ群、４４…負極タブ群、５３（５３１，５３２），５８…取着部材、５４…第１被覆部、５５…第２被覆部、５６…第３被覆部、５７…収容部、６１…正極導電部材、６２…負極導電部材、７０…絶縁シート、７１…はみ出し部。
【図１】
2015032549.tif 000003
【図２】
2015032549.tif 000004
【図３】
2015032549.tif 000005
【図４】
2015032549.tif 000006
【図５】
2015032549.tif 000007
【図６】
2015032549.tif 000008
【図７】
2015032549.tif 000009
【図８】
2015032549.tif 000010